(57)【要約】【目的】ボイラ給水を供給するための貯水タンクへ補給水を供給するに当り、補給水の軟水化および脱酸素処理の確実性を高める。【構成】貯水タンク４０へ補給水を供給する注水路５１に設けた軟水化装置５３において、ナトリウム型陽イオン交換樹脂が充填された樹脂ユニット群から一つの樹脂ユニットを選択し、選択した樹脂ユニットを用いて補給水から硬度分を除去する。また、硬度分が除去された補給水を脱酸素装置５６に所定流量Ｘで通過させて補給水に含まれる溶存酸素を除去し、その補給水を貯水タンク４０へ供給して貯留する。軟水化装置５３と脱酸素装置５６との間において、補給水の硬度分濃度および水温をそれぞれ硬度分センサ５７および水温センサ５８で測定し、測定した硬度分濃度が所定濃度を超えたときは樹脂ユニットを他の樹脂ユニットに切替え、また、測定した水温が所定温度未満のときは所定流量Ｘ未満で補給水を脱酸素装置５６に通過させる。【選択図】図１
2008157577.tif 000002
【特許請求の範囲】
【請求項１】
補給水をボイラ給水として貯水タンクに貯留し、前記貯水タンクから前記ボイラ給水を蒸気ボイラへ供給して加熱することにより発生する蒸気を負荷装置において利用する蒸気ボイラ装置において、前記貯水タンクへ前記補給水を供給するための方法であって、
ナトリウム型陽イオン交換樹脂を有する少なくとも二つの樹脂ユニットを含む樹脂ユニット群から一つの樹脂ユニットを選択し、選択した前記樹脂ユニットの前記ナトリウム型イオン交換樹脂でのイオン交換により前記補給水から硬度分を除去する工程Ａと、
前記硬度分が除去された前記補給水を脱酸素装置に所定流量で通過させ、前記補給水に含まれる溶存酸素を除去する工程Ｂと、
前記脱酸素装置を通過した前記補給水を前記貯水タンクへ供給する工程Ｃと、
工程Ａと工程Ｂとの間において、前記補給水の硬度分濃度と水温とを測定する工程Ｄとを含み、
工程Ｄにおいて測定した前記硬度分濃度が所定濃度を超えたときは前記樹脂ユニット群において他の樹脂ユニットを選択して工程Ａを実行し、かつ、工程Ｄにおいて測定した前記水温が所定温度未満のときは工程Ｂにおいて前記所定流量未満で前記補給水を前記脱酸素装置に通過させる、
ボイラ給水用補給水の供給方法。
【請求項２】
工程Ａ、Ｂ、ＣおよびＤを実行しながら、前記樹脂ユニット群において、工程Ａのために選択した樹脂ユニット以外の樹脂ユニットの前記ナトリウム型陽イオン交換樹脂を再生する、請求項１に記載のボイラ給水用補給水の供給方法。
【請求項３】
前記脱酸素装置は、気体分離膜に前記補給水を通過させる形式のもの、減圧環境下で前記補給水を通過させる形式のもの、および、加熱環境下で前記補給水を通過させる形式のものからなる群から選ばれた一の形式のものである、請求項１または２に記載のボイラ給水用補給水の供給方法。
【請求項４】
前記蒸気ボイラ装置は、前記蒸気が凝縮して得られる復水を前記貯水タンクへ回収するための、前記負荷装置から延びる復水経路を有している、請求項１から３のいずれかに記載のボイラ給水用補給水の供給方法。
【発明の詳細な説明】
【技術分野】
【０００１】
本発明は、ボイラ給水用補給水の供給方法、特に、補給水をボイラ給水として貯水タンクに貯留し、当該貯水タンクからボイラ給水を蒸気ボイラへ供給して加熱することにより発生する蒸気を負荷装置において利用する蒸気ボイラ装置において、貯水タンクへ補給水を供給するための方法に関する。
【背景技術】
【０００２】
水道水や地下水などの原水に由来の補給水をボイラ給水として貯水タンクに貯留し、この貯水タンクからのボイラ給水を蒸気ボイラへ供給する蒸気ボイラ装置が知られている。この蒸気ボイラ装置において用いられる蒸気ボイラは、例えば貫流ボイラの場合、ボイラ給水によるボイラ水を加熱して蒸気を生成するための多数の伝熱管を備えている。この伝熱管は、炭素鋼などの非不動態化金属を用いて形成されているため、ボイラ給水に含まれる溶存酸素の影響により腐食が生じやすい。溶存酸素の影響による腐食は、通常、伝熱管の厚さ方向に進行する孔状の腐食（孔食）であり、進行速度が速く、伝熱管に対して孔開きのような致命的な破壊を短時間でもたらすことが多い。また、伝熱管は、ボイラ給水に含まれる硬度分、すなわち、カルシウムイオンやマグネシウムイオンにより生成するスケールが付着しやすい。このスケールは、伝熱管の熱伝導性を低下させ、ボイラ水の円滑な加熱を阻害することになる。
【０００３】
そこで、蒸気ボイラ装置では、蒸気ボイラ内での腐食やスケール生成を抑制し、蒸気ボイラ装置の継続的で安定な運転を図るために、通常、貯水タンクへ供給する補給水を軟水化するとともに脱酸素処理している（例えば、特許文献１および特許文献２参照）。ここで、補給水の軟水化は、ナトリウム型陽イオン交換樹脂を用いた補給水の処理により、補給水中のカルシウムイオンおよびマグネシウムイオンをナトリウムイオンで置換することで実施されている。一方、脱酸素処理は、例えば、補給水を気体分離膜に通過させることで実施されている。
【０００４】
【特許文献１】特開２００３−１２０９０４公報、段落［０００５］
【特許文献２】特開２００４−１９９７０公報、段落［０００９］
【０００５】
しかし、補給水として用いられる原水は、上述のように水道水や地下水などであるため、地質的要因により水質が多様である。例えば、原水の硬度分濃度は、地域によって高いところもあれば低いところもあり、また、季節的要因やその他の要因のために、同じ地域においても変動しやすい。このため、軟水化のために用いられるナトリウム型陽イオン交換樹脂は、補給水の硬度分濃度が高い地域等において破過しやすく、比較的短時間で補給水中の硬度分の一部を除去できなくなる可能性がある。また、原水の溶存酸素濃度は、温度の影響を受けるため、原水の温度が変動しやすい環境では常時変動しやすい。一般に、補給水は、水温が低下した場合に溶存酸素濃度が高まる傾向にあるため、気体分離膜は、補給水の温度が低下したときに高負荷状態になり、補給水中の溶存酸素が透過しやすくなる。
【０００６】
本発明の目的は、蒸気ボイラ装置へボイラ給水を供給するための貯水タンクへ補給水を供給するに当り、補給水の軟水化および脱酸素処理の確実性を高めることにある。
【発明の開示】
【課題を解決するための手段】
【０００７】
本発明は、補給水をボイラ給水として貯水タンクに貯留し、当該貯水タンクからボイラ給水を蒸気ボイラへ供給して加熱することにより発生する蒸気を負荷装置において利用する蒸気ボイラ装置において、貯水タンクへ補給水を供給するための方法に関するものである。この供給方法は、ナトリウム型陽イオン交換樹脂を有する少なくとも二つの樹脂ユニットを含む樹脂ユニット群から一つの樹脂ユニットを選択し、選択した樹脂ユニットのナトリウム型イオン交換樹脂でのイオン交換により補給水から硬度分を除去する工程Ａと、硬度分が除去された補給水を脱酸素装置に所定流量で通過させ、補給水に含まれる溶存酸素を除去する工程Ｂと、脱酸素装置を通過した補給水を貯水タンクへ供給する工程Ｃと、工程Ａと工程Ｂとの間において、補給水の硬度分濃度および水温を測定する工程Ｄとを含んでいる。ここで、工程Ｄにおいて測定した硬度分濃度が所定濃度を超えたときは樹脂ユニット群において他の樹脂ユニットを選択して工程Ａを実行し、かつ、工程Ｄにおいて測定した水温が所定温度未満のときは工程Ｂにおいて所定流量未満で補給水を脱酸素装置に通過させる。
【０００８】
このようなボイラ給水用補給水の供給方法において、補給水は、工程Ａにおいて硬度分が除去され、続いて工程Ｂにおいて溶存酸素が除去された後、工程Ｃにおいて貯水タンクへ供給されて貯留される。この一連の過程において、補給水は、工程Ｄにおいて、工程Ａと工程Ｂとの間で硬度分濃度と水温とが測定される。
【０００９】
ここで、測定した硬度分濃度が所定濃度を超えたとき、すなわち、ナトリウム型陽イオン交換樹脂の破過等の原因のために樹脂ユニットからの補給水において硬度漏れがあったときは、樹脂ユニット群において樹脂ユニットを他のものに切替えて工程Ａを実行する。この結果、以後の補給水は、工程Ａにおいて他の樹脂ユニットのナトリウム型陽イオン交換樹脂により硬度分が除去されることになり、硬度分がより確実に除去される。一方、測定した補給水の水温が所定温度未満のとき、すなわち、補給水中の溶存酸素濃度が高まったときは、工程Ｂにおいて補給水の流量を所定流量未満にする。この結果、補給水は、脱酸素装置での滞留時間が長くなり、溶存酸素がより確実に除去される。
【００１０】
この供給方法では、例えば、工程Ａ、Ｂ、ＣおよびＤを実行しながら、樹脂ユニット群において、工程Ａのために選択した樹脂ユニット以外の樹脂ユニットのナトリウム型陽イオン交換樹脂を再生する。このようにすると、工程Ａのために使用している樹脂ユニット以外の樹脂ユニットにおいて、ナトリウム型イオン交換樹脂のイオン交換能を高めた状態に設定することができるため、工程Ｄで測定した硬度分濃度が所定濃度を超えたときは、工程Ａにおいて樹脂ユニットを他のものに円滑に切替えることができる。
【００１１】
また、この供給方法において用いられる脱酸素装置は、通常、補給水の流量を低下させた場合において補給水の滞留時間が長くなる形式のもの、例えば、気体分離膜に補給水を通過させる形式のもの、減圧環境下で補給水を通過させる形式のもの、および、加熱環境下で補給水を通過させる形式のものからなる群から選ばれた一の形式のものである。
【００１２】
この供給方法を適用可能な蒸気ボイラ装置は、蒸気が凝縮して得られる復水を貯水タンクへ回収するための、負荷装置から延びる復水経路を有していてもよい。この場合、本発明の供給方法により、蒸気ボイラに対して溶存酸素量が少ないボイラ給水を供給することができるため、復水経路の腐食も併せて効果的に抑制することができる。
【発明の効果】
【００１３】
本発明に係るボイラ給水用補給水の供給方法は、上述の工程を含むため、蒸気ボイラ装置において貯水タンクへ補給水を供給するに当り、補給水の軟水化および脱酸素処理の確実性を高めることができる。
【発明を実施するための最良の形態】
【００１４】
図１を参照して、本発明の実施の一形態に係るボイラ給水用補給水の供給方法を実施可能な蒸気ボイラ装置を説明する。図１において、蒸気ボイラ装置１は、熱交換器、蒸気釜、リボイラ若しくはオートクレーブ等の蒸気使用設備である負荷装置２に対して蒸気を供給するためのものであり、給水装置１０、蒸気ボイラ２０および復水経路３０を主に備えている。
【００１５】
給水装置１０は、蒸気ボイラ２０へボイラ給水を供給するためのものであり、ボイラ給水を貯留するための貯水タンク４０と、ボイラ給水として用いる補給水を貯水タンク４０へ供給するための補給経路５０とを主に備えている。貯水タンク４０は、その底部から蒸気ボイラ２０へ延びる給水経路４１を有している。給水経路４１は、蒸気ボイラ２０に連絡しており、貯水タンク４０内に貯留されたボイラ給水を蒸気ボイラ２０へ送り出すための給水ポンプ４２を有している。
【００１６】
補給経路５０は、注水路５１を有している。この注水路５１は、水道水、工業用水若しくは地下水等の水源から供給される原水が貯留されている原水タンク（図示せず）から貯水タンク４０へ補給水を供給するためのものであり、貯水タンク４０へ向けて前処理装置５２、軟水化装置５３、予備ろ過装置５４、ろ過処理装置５５および脱酸素装置５６をこの順に有している。また、注水路５１において、ろ過処理装置５５と脱酸素装置５６との間には、硬度分センサ５７および水温センサ５８が配置されており、これらのセンサ５７，５８の脱酸素装置５６側において流量調節弁５９を有している。さらに、注水路５１は、軟水化装置５３および流量調節弁５９を制御するための制御装置６０を有している。
【００１７】
前処理装置５２は、原水タンクからの補給水中に溶存している次亜塩素酸ナトリウム等の酸化剤を吸着可能な活性炭が充填されたろ過装置であり、原水から次亜塩素酸ナトリウム等の酸化剤を除去するためのものである。
【００１８】
軟水化装置５３は、図２に示すように、第一樹脂ユニット６１ａおよび第二樹脂ユニット６１ｂの二つの樹脂ユニットからなる樹脂ユニット群６１を備えている。この軟水化装置５３において、注水路５１は、切替弁６２により第一経路５１ａと第二経路５１ｂとの二つの経路に分岐しており、第一経路５１ａが第一樹脂ユニット６１ａに連絡し、第二経路５１ｂが第二樹脂ユニット６１ｂに連絡している。そして、第一経路５１ａと第二経路５１ｂとは、各樹脂ユニット６１ａ，６１ｂの下流側で合流して一体化しており、予備ろ過装置５４へ延びている。
【００１９】
ここで、各樹脂ユニット６１ａ，６１ｂには、ナトリウム型陽イオン交換樹脂が充填されている。ナトリウム型陽イオン交換樹脂は、前処理装置５２において処理された補給水に含まれる硬度分、すなわち、カルシウムイオンおよびマグネシウムイオンをナトリウムイオンに置換し、補給水を軟化水へ変換するためのものである。また、切替弁６２は、電磁弁であり、注水路５１を第一経路５１ａ若しくは第二経路５１ｂのいずれかに選択するためのものである。
【００２０】
この軟水化装置５３において、第一樹脂ユニット６１ａおよび第二樹脂ユニット６１ｂは着脱可能であり、ナトリウム型陽イオン交換樹脂を交換することができる。
【００２１】
予備ろ過装置５４は、軟水化装置５３で軟水化された補給水中に混入している懸濁物質やゴミ等の固形物を除去するためのものであり、固形物をろ過して分離するためのワインドフイルタ、プリーツフイルタ若しくはメッシュフイルタ等のろ過材（図示せず）を備えている。
【００２２】
ろ過処理装置５５は、予備ろ過装置５４において処理された補給水に含まれる各種の溶解成分、すなわち、各種のイオンや低分子量物質を除去するためのものであり、溶解成分をろ過して分離するためのろ過膜（図示せず）を備えている。ここで用いられるろ過膜は、ナノろ過膜である。ナノろ過膜は、一般にＮＦ（Ｎａｎｏｆｉｌｔｒａｔｉｏｎ）膜と呼称されている、ポリアミド系やポリエーテル系等の合成高分子を用いて形成されたものであり、ＡＭＳＴ（Ａｓｓｏｃｉａｔｉｏｎ  ｏｆ  Ｍｅｍｂｒａｎｃｅ  Ｓｅｐａｒａｔｉｏｎ  Ｔｅｃｈｎｏｌｏｇｙ）規格のＡＭＳＴ−００２において、「操作圧力１．５ＭＰａで使用され、除去率９０％以上を示す分離対象物質の分子量範囲が２００〜１，０００を示し、試験液の塩化ナトリウム濃度が５００〜２，０００ｍｇ／リットルで、操作圧力が０．３〜１．５ＭＰａの評価条件の下で塩化ナトリウム除去率が５％以上、９３％未満の膜」と定義されているものである。因みに、ナノろ過膜は、各社から市販されており、容易に入手することができる。
【００２３】
ろ過処理装置５５において、ナノろ過膜は、各種の形状で用いられる。すなわち、ナノろ過膜は、平膜型、中空糸膜型、管状型およびノモリス型などの各種の形状で用いられる。
【００２４】
脱酸素装置５６は、ろ過処理装置５５において処理された補給水中の溶存酸素を除去するためのものであり、通過する補給水の滞留時間が長いほど脱酸素能力が高まる形式のもの、例えば、補給水を気体分離膜に通過させて溶存酸素を除去する形式のもの（例えば、中空糸状の気体分離膜の外部を減圧しながら内部に補給水を通過させて溶存酸素を除去する形式のもの）、補給水を減圧環境下で通過させて溶存酸素を除去する形式のもの、若しくは、補給水を加熱しながら通過させて溶存酸素を除去する形式のものなどの公知の各種の形式のものが用いられる。
【００２５】
硬度分センサ５７は、ろ過処理装置５５からの補給水に含まれる硬度分濃度を測定するためのものであり、例えば、比色式、電極式若しくは滴定式などのセンサである。一方、水温センサ５８は、ろ過処理装置５５からの補給水の水温を測定するためのものであり、例えば、サーミスタ、熱電対若しくは測温抵抗体などのセンサである。
【００２６】
流量調節弁５９は、電磁弁であり、ろ過処理装置５５から脱酸素装置５６へ流れる補給水の流量を任意に調節可能なものである。
【００２７】
制御装置６０は、硬度分センサ５７および水温センサ５８によりそれぞれ測定された硬度分情報および水温情報に基づき、切替弁６２および流量調節弁５９を制御するためのものである。
【００２８】
蒸気ボイラ２０は、貫流ボイラであり、図３に示すように、給水経路４１から供給されるボイラ給水を貯留可能な環状の貯留部２１、貯留部２１から起立する多数の伝熱管２２（図３では二本のみ示している）、伝熱管２２の上端部に設けられた環状のヘッダ２３、ヘッダ２３から負荷装置２へ延びる蒸気供給路２４およびバーナーなどの燃焼装置２５を主に備えている。燃焼装置２５は、ヘッダ２３側から貯留部２１方向へ燃焼ガスを放射し、伝熱管２２を加熱可能である。
【００２９】
伝熱管２２は、非不動態化金属を用いて形成されている。非不動態化金属は、中性水溶液中において自然には不動態化しない金属をいい、通常はステンレス鋼、チタン、アルミニウム、クロム、ニッケルおよびジルコニウム等を除く金属である。具体的には、炭素鋼、鋳鉄、銅および銅合金等である。なお、炭素鋼は、中性水溶液中においても、高濃度のクロム酸イオンの存在下では不動態化する場合があるが、この不動態化はクロム酸イオンの影響によるものであって中性水溶液中での自然な不動態化とは言い難い。したがって、炭素鋼は、ここでの非不動態化金属の範疇に属する。また、銅および銅合金は、電気化学列（ｅｍｆ  ｓｅｒｉｅｓ）が貴な位置にあるため、通常は水分の影響による腐食が生じ難い金属と考えられているが、中性水溶液中において自然に不動態化するものではないので、非不動態化金属の範疇に属する。
【００３０】
復水経路３０は、伝熱管２２と同じく非不動態化金属を用いて形成されており、負荷装置２から貯水タンク４０へ延びている。また、復水経路３０は、スチームトラップ３１を有している。スチームトラップ３１は、蒸気と水とを分離するためのものである。復水経路３０の先端部は、通常、貯水タンク４０内に貯留されたボイラ給水に対して空気を巻き込まないようにするため、ボイラ給水内に配置されているのが好ましく、貯水タンク４０の底部近傍に配置されているのが特に好ましい。
【００３１】
次に、ボイラ給水用補給水の供給方法に触れながら、上述の蒸気ボイラ装置１の運転方法を説明する。ここでは、制御装置６０は、初期状態において、切替弁６２を第一経路５１ａ側に切替えており、また、注水路５１においてろ過処理装置５５から脱酸素装置５６へ流れる補給水の流量が所定流量Ｘになるよう流量調節弁５９を設定しているものとする。
【００３２】
蒸気ボイラ装置１の運転時には、原水タンクから注水路５１を通じて貯水タンク４０へ補給水を供給し、この補給水をボイラ給水として貯水タンク４０に貯留する。
【００３３】
この際、原水タンクからの補給水は、先ず、注水路５１を通じて前処理装置５２へ供給され、そこで上述の酸化剤が活性炭により吸着除去される。続いて、前処理装置５２からの補給水は、軟水化装置５３へ流れる。軟水化装置５３へ流れた補給水は、切替弁６２を経由して第一経路５１ａへ流れ、第一樹脂ユニット６１ａを通過する。これにより、補給水に含まれる硬度分は、ナトリウム型陽イオン交換樹脂によりナトリウムイオンとイオン交換され、硬度分が除去された軟化水になる。
【００３４】
因みに、軟水化装置５３において用いられるナトリウム型陽イオン交換樹脂は、酸化剤の影響により劣化してイオン交換能が低下しやすいが、この実施の形態において軟水化装置５３へ供給される補給水は、前処理装置５２において酸化剤が除去されているため、ナトリウム型陽イオン交換樹脂を劣化させにくい。したがって、軟水化装置５３は、長期間に渡って安定的に補給水を軟水化することができる。
【００３５】
軟水化装置５３において軟化水となった補給水は、次に、予備ろ過装置５４でのろ過処理により懸濁物質やゴミ等の固形物が除去された後、ろ過処理装置５５においてさらにろ過処理される。ろ過処理装置５５において、予備ろ過装置５４からの補給水は、ナノろ過膜によりろ過される。これにより、補給水に含まれる、伝熱管２２等の蒸気ボイラ２０の腐食原因となる成分および復水経路３０の腐食原因となる成分の一部が除去される。ここで、蒸気ボイラ２０の腐食原因となる成分は、主に、塩化物イオン（Ｃｌ−）および硫酸イオン（ＳＯ４２−）である。また、復水経路３０の腐食原因となる成分は、補給水中の塩類が軟水化装置５３での軟水化によりナトリウム塩となったもの、例えば、炭酸水素ナトリウムや炭酸ナトリウムなどのアルカリ成分である。これらのアルカリ成分は、蒸気ボイラ２０での加熱により分解し、炭酸ガスを生成するため、復水経路３０に対する腐食原因となり得る。なお、以下の説明において、蒸気ボイラ２０の腐食原因となる成分および復水経路３０の腐食原因となる成分を総称し、「腐食促進成分」と云う場合がある。
【００３６】
一方、軟水化装置５３からの補給水に含まれる、原水に由来のシリカは、大半（通常は４０％以上）がナノろ過膜を通過する。
【００３７】
因みに、予備ろ過装置５４からの補給水は前処理装置５２において酸化剤が除去されており、しかも、予備ろ過装置５４において固形物が除去されているため、ろ過処理装置５５のナノろ過膜は、酸化による劣化が生じにくく、目詰まりを起こしにくい。したがって、ろ過処理装置５５は、長期間に渡って安定的に補給水から上述のような腐食促進成分を除去することができる。
【００３８】
ろ過処理装置５５においてろ過処理された補給水は、次に、脱酸素装置５６において脱酸素処理される。これにより、補給水は、蒸気ボイラ２０の伝熱管２２等の腐食（特に孔食）および復水経路３０の腐食を促進する溶存酸素が除去される。
【００３９】
以上の結果、貯水タンク４０には、脱酸素装置５６において処理された補給水、すなわち、脱酸素処理されかつ腐食促進成分が除去された軟化水がボイラ給水として貯留されることになる。このボイラ給水は、ろ過処理装置５５のナノろ過膜を透過したシリカを含む。
【００４０】
貯水タンク４０に補給水が貯留された状態で給水ポンプ４２を作動させると、貯水タンク４０に貯留された補給水、すなわちボイラ給水は、給水経路４１を通じて蒸気ボイラ２０へ供給される。蒸気ボイラ２０へ供給されたボイラ給水は、貯留部２１においてボイラ水として貯留される。このボイラ水は、各伝熱管２２を通じて燃焼装置２５により加熱されながら各伝熱管２２内を上昇し、徐々に蒸気になる。そして、各伝熱管２２内において生成した蒸気は、ヘッダ２３において集められ、蒸気供給路２４を通じて負荷装置２へ供給される。
【００４１】
負荷装置２へ供給された蒸気は、負荷装置２を通過して復水経路３０へ流れ、そこで潜熱を失って一部が凝縮水に変わり、スチームトラップ３１において蒸気と水とが分離されて高温の復水になる。このようにして生成した復水は、復水経路３０を通じて貯水タンク４０へ回収され、貯水タンク４０に貯留された補給水と混合されてボイラ給水として再利用される。この際、貯水タンク４０に貯留されたボイラ給水は、高温の復水により加熱されるので、蒸気ボイラ２０での加熱負担が軽減される。したがって、蒸気ボイラ装置１は、蒸気ボイラ２０を稼動するための燃料コストを抑制することができ、経済的に運転することができる。
【００４２】
上述のような蒸気ボイラ装置１の運転中において、蒸気ボイラ２０内でボイラ水として貯留されるボイラ給水は、伝熱管２２の内面等に接触する。一般に、非不動態化金属からなる伝熱管２２等は、ボイラ水の影響を受けて腐食が進行しやすいが、この実施の形態では、ボイラ給水において塩化物イオンや硫酸イオン等のイオン成分および溶存酸素が除去されているため、蒸気ボイラ２０は、伝熱管２２等の腐食が起こりにくい。また、ボイラ給水に含まれるシリカは、蒸気ボイラ２０の貯留部２１や伝熱管２２の内部表面に皮膜を形成するため、蒸気ボイラ２０に対する腐食抑制作用を高めることができる。さらに、ボイラ水は、既述のようなアルカリ成分が除去されているため、加熱時に炭酸ガスを発生させにくい。このため、この蒸気ボイラ装置１では、炭酸ガスの影響による復水経路３０の腐食も併せて抑制される。すなわち、この実施の形態の蒸気ボイラ装置１は、ボイラ給水中の腐食抑制成分および溶存酸素を除去することができるため、ボイラ給水への薬剤添加に依らずに蒸気ボイラ２０および復水経路３０の両方の腐食を抑制することができる。
【００４３】
また、この蒸気ボイラ装置１において、蒸気ボイラ２０へ供給されるボイラ給水は、硬度分が除去された軟化水であるため、伝熱管２２は、スケールの付着も併せて抑制される。
【００４４】
蒸気ボイラ装置１の運転中において、硬度分センサ５７および水温センサ５８は、常時、ろ過処理装置５５から脱酸素装置５６へ流れる補給水の硬度分濃度および水温をそれぞれ計測する。補給水の硬度分濃度を硬度分センサ５７で計測するのは、軟水化装置５３での補給水の処理状況、すなわち軟水化状況を確認することを目的としている。一方、補給水の水温を水温センサ５８で計測するのは、補給水に含まれる溶存酸素量の大小を予測することを目的としている。補給水は、水温が低いほど溶存酸素の溶解度が高く、溶存酸素量が多くなるため、水温によって溶存酸素量の大小傾向を予測することができる。
【００４５】
硬度分センサ５７により計測された補給水の硬度分濃度が予め設定した所定濃度Ｙを超えたとき、軟水化装置５３の第一樹脂ユニット６１ａにおいてナトリウム型陽イオン交換樹脂の破過（イオン交換能の低下）などの異常が発生しているものと判断することができるため、制御装置６０は、切替弁６２を作動させ、注水路５１を第一経路５１ａから第二経路５１ｂへ切替える。これにより、前処理装置５２からの補給水は、第二経路５１ｂへ流れて第二樹脂ユニット６１ｂへ供給され、そのナトリウム型陽イオン交換樹脂によりイオン交換処理される。
【００４６】
注水路５１が第二経路５１ｂへ切替えられている間、軟水化装置３２から第一樹脂ユニット６１ａを取り外し、ナトリウム型陽イオン交換樹脂を新たなものに交換する。このようにしておくと、第二樹脂ユニット６１ｂの使用時において硬度分センサ５７により測定される補給水の硬度分濃度が予め設定した所定濃度Ｙを超えたとき、制御装置６０により注水路５１を第二経路５１ｂから第一経路５１ａへ切替えることで、ナトリウム型イオン交換樹脂が交換された第一樹脂ユニット６１ａにより補給水をイオン交換処理することができる。このように、樹脂ユニット群６１において選択された樹脂ユニット（すなわち、使用中の樹脂ユニット）以外の樹脂ユニットに充填されたナトリウム型陽イオン交換樹脂を不使用中に交換しておくと、補給水の硬度分濃度が予め設定した所定濃度Ｙを超えたときに、切替弁６２の切替えにより樹脂ユニットを他方のものに速やかに変更することができる。したがって、補給水は、軟水化装置３２において、より確実に軟水化される。この結果、貯水タンク４０には硬度分の少ない補給水がボイラ給水として貯留されることになるので、蒸気ボイラ装置２０は、スケールの生成が効果的に抑制される。
【００４７】
一方、水温センサ５８により測定された補給水の水温が所定水温Ｚ未満になったとき、補給水は溶存酸素量が高まり脱酸素装置５６での脱酸素処理不足が予想されることになる。そこで、制御装置６０は、流量調節弁５９を制御し、ろ過処理装置５５から脱酸素装置５６へ流れる補給水の流量を所定流量Ｘ未満に低下させる。この結果、脱酸素装置５６は、補給水の流通速度が低下し、補給水の滞留時間が長くなるため、補給水中の溶存酸素の除去能力が高まる。したがって、貯水タンク４０は、補給水の水温が低下しても、溶存酸素量が少ない補給水が供給されることになる。
【００４８】
また、水温センサ５８により測定された補給水の水温が所定水温Ｚ以上に復帰したとき、制御装置６０は、流量調節弁５９を制御し、ろ過処理装置５５から脱酸素装置５６へ流れる補給水の流量を所定流量Ｘに復帰させる。
【００４９】
以上の結果、貯水タンク４０は、溶存酸素がより確実に除去された補給水がボイラ給水として貯留されることになるので、蒸気ボイラ装置１は、蒸気ボイラ２０の腐食（特に孔食）の進行がより効果的に抑制され、また、復水経路３０の腐食も併せてより効果的に抑制される。
【００５０】
変形例
（１）上述の実施の形態では、軟水化装置５３において、不使用中の樹脂ユニットのナトリウム型陽イオン交換樹脂を交換するようにしているが、樹脂ユニットのナトリウム型陽イオン交換樹脂は、不使用中において、軟水化装置５３に装着したままの状態で再生するようにすることもできる。
【００５１】
この場合は、軟水化装置５３に塩化ナトリウム水溶液の調製装置を設け、この調製装置から不使用中の樹脂ユニット内へ塩化ナトリウム水溶液を供給する。これにより、ナトリウム型陽イオン交換樹脂に付着した硬度分がナトリウムイオンと再度交換され、ナトリウム型陽イオン交換樹脂は硬度分とのイオン交換能が高まる。
【００５２】
（２）上述の実施の形態では、軟水化装置５３において二つの樹脂ユニット６１ａ，６１ｂを有する樹脂ユニット群６１を用いているが、樹脂ユニット群６１は、三つ以上の樹脂ユニットを有していてもよい。
【００５３】
（３）上述の実施の形態では、ろ過処理装置５５と脱酸素装置５６との間に硬度分センサ５７および水温センサ５８を配置し、補給水の硬度分濃度および水温を測定しているが、補給水の硬度分および水温は、軟水化装置５３と予備ろ過装置５４との間若しくは予備ろ過装置５４とろ過処理装置５５との間において測定することもできる。但し、脱酸素装置５６での脱酸素能力を高めるために、補給水の水温は、上述の実施の形態のように、脱酸素装置５６の直前で測定するのが好ましい。
【００５４】
（４）上述の実施の形態では、ろ過処理装置５５においてナノろ過膜を用いたが、このナノろ過膜は逆浸透膜に変更することもできる。逆浸透膜は、一般にＲＯ（Ｒｅｖｅｒｓｅ  Ｏｓｍｏｓｉｓ）膜と呼称されている、ポリアミド等の合成高分子を用いて形成されたものであり、ＡＭＳＴ（Ａｓｓｏｃｉａｔｉｏｎ  ｏｆ  Ｍｅｍｂｒａｎｃｅ  Ｓｅｐａｒａｔｉｏｎ  Ｔｅｃｈｎｏｌｏｇｙ）規格のＡＭＳＴ−００２において、「塩化ナトリウム濃度が５００〜２，０００ｍｇ／リットルで操作圧力が０．５〜３．０ＭＰａの評価条件の下での塩化ナトリウムの除去率が９３％以上の膜」と定義されており、ナノろ過膜とは区別されている。因みに、逆浸透膜は、各社から市販されており、容易に入手することができる。
【００５５】
逆浸透膜は、ナノろ過膜と同様に各種の形状で用いられる。すなわち、逆浸透膜は、平膜型、中空糸膜型、管状型およびノモリス型などの各種の形状で用いられる。
【００５６】
ろ過処理装置５５において用いられる逆浸透膜は、ナノろ過膜と同じく、補給水に含まれる腐食促進成分を除去することができるため、蒸気ボイラ装置１において、蒸気ボイラ２０の伝熱管２２や復水経路３０の腐食を効果的に抑制することができる。特に、逆浸透膜は、補給水中に含まれる、炭酸水素ナトリウムや炭酸ナトリウムなど、すなわち、炭酸ガスの発生原因となるアルカリ成分の除去能がナノろ過膜よりも優れているため、蒸気ボイラ２０において炭酸ガスが発生するのをより効果的に防止することができ、復水経路３０の腐食をより効果的に抑制することができる。
【００５７】
（５）ろ過処理装置５５は、図４に示すように、ナノろ過膜５５ａと逆浸透膜５５ｂの両方を備えていてもよい。この場合、ろ過処理装置５５は、補給水をナノろ過膜５５ａでろ過処理した後に逆浸透膜５５ｂでろ過処理するよう設定するのが好ましい。このようなろ過処理装置５５は、補給水中の腐食促進成分をナノろ過膜５５ａおよび逆浸透膜５５ｂの両方で除去することになり、腐食促進成分の除去能力が高まるため、蒸気ボイラ装置１において、蒸気ボイラ２０の伝熱管２２や復水経路３０の腐食をさらに効果的に抑制することができる。
【００５８】
（６）上述の各実施の形態では、腐食促進成分による腐食を抑制するためにろ過処理装置５５を用いているが、腐食促進成分を原因とする腐食抑制のために、公知の各種の薬剤を補給水、ボイラ給水若しくはボイラ水に対して添加することもできる。
【００５９】
（７）上述の各実施の形態は、蒸気ボイラ２０として貫流ボイラを用いた場合を例としているが、蒸気ボイラ２０として他の形態のものを用いた場合も本発明を同様に実施することができる。
【図面の簡単な説明】
【００６０】
【図１】本発明の実施の一形態に係る補給水の供給方法を実施可能な蒸気ボイラ装置の概略図。
【図２】前記蒸気ボイラ装置において用いられる軟水化装置の概略図。
【図３】前記蒸気ボイラ装置において用いられる蒸気ボイラの一部断面概略図。
【図４】前記蒸気ボイラ装置において用いられる他の形態のろ過処理装置の概略図。
【符号の説明】
【００６１】
１  蒸気ボイラ装置
２  負荷装置
２０  蒸気ボイラ
３０  復水経路
４０  貯水タンク
５０  補給経路
５３  軟水化装置
５６  脱酸素装置
５７  硬度分センサ
５８  水温センサ
５９  流量調節弁
６１  樹脂ユニット群
６１ａ  第一樹脂ユニット
６１ｂ  第二樹脂ユニット
【図１】
2008157577.tif 000003
【図２】
2008157577.tif 000004
【図３】
2008157577.tif 000005
【図４】
2008157577.tif 000006